(57)【要約】【課題】複数の階層にわたる、迅速なパス設定を可能とする。【解決手段】本発明は、データ送信ノードからデータ受信ノードへ向けて、データ受信ノードからの（シグナリングの観点からの）逆方向パスのセットアップのシグナリングセッションの開始を要求する、シグナリング開始リクエストを送る。なおかつ、中継ノードは、階層の境界を認識し、パス設定リクエストを、隣接ノードへ向けて、当該隣接ノードの階層に適応させて転送する。【選択図】　　　図１
2004023275.tif 000002
【特許請求の範囲】
【請求項１】
データ送信ノード、データ受信ノード、該データ送信ノードと該データ受信ノードとの間の経路に設定される中継ノードからなるネットワーク上の複数の階層にわたるパスを設定するネットワークパス設定方法において、
前記データ送信ノードにおいて、
前記データ受信ノードをシグナリング開始ノードとし、自ノードをシグナリング終端ノードとする、逆方向パス設定リクエストを前記経路上の前記中継ノードに送出することを要求するシグナリング開始リクエストを、該データ受信ノードに送信し、
前記データ受信ノードにおいて、
前記シグナリング開始リクエストに基づいて、前記シグナリング開始ノードとして、自ノードに関するリソースを確保すると共に、確保した該リソースに関するラベルを含む逆方向パス設定リクエストを、前記中継ノードに送出し、
前記中継ノードにおいて、
前記逆方向パス設定リクエストに基づいて、自ノードに関するリソースを確保すると共に、階層の境界を認識し、
前記シグナリング終端ノード側の隣接するノードに向けて、確保した前記リソースに関するラベルを含む前記逆方向パス設定リクエストを該隣接するノードに適応させて中継し、
前記データ送信ノードにおいて、
前記シグナリング終端ノードとして、前記逆方向パス設定リクエストに基づいて、自ノードに関するリソースを確保することを特徴とするネットワークパス設定方法。
【請求項２】
データ送信ノード、データ受信ノード、該データ送信ノードと該データ受信ノードとの間の経路に設定される中継ノードからなるネットワーク上の複数の階層にわたるパスを設定するネットワークパス設定システムであって、
前記データ送信ノードは、
前記データ受信ノードをシグナリング開始ノードとし、自ノードをシグナリング終端ノードとする、逆方向パス設定リクエストを前記経路上の前記中継ノードに送出することを要求するシグナリング開始リクエストを、該データ受信ノードに送信するシグナリング開始リクエスト送出手段と、
前記シグナリング終端ノードとして、前記中継ノードから取得した前記逆方向パス設定リクエストに基づいて、自ノードに関するリソースを確保するリソース確保手段と、を有し、
前記データ受信ノードは、
前記シグナリング開始リクエストに基づいて、前記シグナリング開始ノードとして、自ノードに関するリソースを確保すると共に、確保した該リソースに関するラベルを含む逆方向パス設定リクエストを、前記中継ノードに送出する逆方向パス設定リクエスト送出手段を有し、
前記中継ノードは、
前記逆方向パス設定リクエストに基づいて、自ノードに関するリソースを確保すると共に、階層の境界を認識する階層境界認識手段と、
前記シグナリング終端ノード側の隣接するノードに向けて、確保した前記リソースに関するラベルを含む前記逆方向パス設定リクエストを該隣接するノードに適応させて中継する中継手段と、を有することを特徴とするネットワークパス設定システム。
【発明の詳細な説明】
【０００１】
【発明の属する技術分野】
本発明は、ネットワークパス設定方法及びシステムに係り、特に、情報通信ネットワークシステムにおける、ＧＭＰＬＳ（Ｇｅｎｅｒａｌｉｚｅｄ　Ｍｕｌｔｉ　Ｐｒｏｔｏｃｏｌ　Ｌａｂｅｌ　Ｓｗｉｔｃｈｉｎｇ）ネットワークでのネットワークパス設定方法及びシステムに関する。
【従来の技術】
次世代のネットワークは、光信号を電気信号に変換せずに、光のままでスイッチするフォトニッククロスコネクト（ＰＸＣ）から、ＩＰ（Ｉｎｔｅｒｎｅｔ　Ｐｒｏｔｏｃｏｌ）パケットをフォワードするルータまで、様々な階層ノードによって構成される。そのような異なるスイッチングキャパシティを持つノードを統一的に制御すべく、ＭＰＬＳ（Ｍｕｌｔｉ　Ｐｒｏｔｏｃｏｌ　Ｌａｂｅｌ　Ｓｗｉｔｃｈｉｎｇ）の枠組みを適用したＧＭＰＬＳ（Ｇｅｎｅｒａｌｉｚｅｄ　ＭＰＬＳ）　コントロールプレーンの標準化がＩＥＴＦ（Ｉｎｔｅｒｎｅｔ　Ｅｎｇｉｎｅｅｒｉｎｇ　Ｔａｓｋ　Ｆｏｒｃｅ）　で進められている。ＧＭＰＬＳ　では、これら複数の階層にわたるパスを一つのシグナリングセッションで行う。
【０００２】
図５を参照して、ＧＭＰＬＳ　ネットワークにおけるパス設定方法について説明する。同図に示すノードＡ〜Ｅは、パケットスイッチｃａｐａｂｌｅ　かつ波長スイッチｃａｐａｂｌｅ　なノードであり、各ノード間は光ファイバで接続されている。ノード間に電気パスを設定する場合は、まず、光ファイバ上に光パスが設定され、その光パス上に電気パスが設定される。いま、ノードＡ−Ｂ間、ノードＤ−Ｅ間に光波長パスが設定されているが、ノードＢ−Ｅ間には光波長パスが設定されていないとき、ノードＡからノードＥへ電気パスを設定するには、ノードＢ−Ｄ間に光波長パスを設定する必要がある。つまり、電気パス設定リクエストがノードＡ−Ｅ間で往復する間に、光パス設定リクエストがノードＢ−Ｄ間で往復する。
【０００３】
【発明が解決しようとする課題】
しかしながら、上記従来のパス設定方法では、複数の階層にわたるパスの設定には、それぞれの階層でシグナリングメッセージの往復が必要であり、パス設定に時間がかかるという問題がある。
【０００４】
本発明は、上記の点に鑑みなされたもので、迅速なパス設定が可能なネットワークパス設定方法及びシステムを提供することを目的とする。
【０００５】
【課題を解決するための手段】
図１は、本発明の原理を説明するための図である。
【０００６】
本発明は、データ送信ノード、データ受信ノード、該データ送信ノードと該データ受信ノードとの間の経路に設定される中継ノードからなるネットワーク上の複数の階層にわたるパスを設定するネットワークパス設定方法において、
データ送信ノードにおいて、
データ受信ノードをシグナリング開始ノードとし、自ノードをシグナリング終端ノードとする、逆方向パス設定リクエストを経路上の中継ノードに送出することを要求するシグナリング開始リクエストを、該データ受信ノードに送信し（ステップ１）、
データ受信ノードにおいて、
シグナリング開始リクエストに基づいて、シグナリング開始ノードとして、自ノードに関するリソースを確保すると共に、確保した該リソースに関するラベルを含む逆方向パス設定リクエストを、中継ノードに送出し（ステップ２）、
中継ノードにおいて、
逆方向パス設定リクエストに基づいて、自ノードに関するリソースを確保すると共に、階層の境界を認識し（ステップ３）、
シグナリング終端ノード側の隣接するノードに向けて、確保したリソースに関するラベルを含む逆方向パス設定リクエストを該隣接するノードに適応させて中継し（ステップ４）、
データ送信ノードにおいて、
シグナリング終端ノードとして、逆方向パス設定リクエストに基づいて、自ノードに関するリソースを確保する（ステップ５）。
【０００７】
図２は、本発明の原理構成図である。
【０００８】
本発明は、データ送信ノード１０、データ受信ノード３０、該データ送信ノード１０と該データ受信ノード３０との間の経路に設定される中継ノード２０からなるネットワーク上の複数の階層にわたるパスを設定するネットワークパス設定システムであって、
データ送信ノード１０は、
データ受信ノードをシグナリング開始ノードとし、自ノードをシグナリング終端ノードとする、逆方向パス設定リクエストを経路上の中継ノードに送出することを要求するシグナリング開始リクエストを、該データ受信ノードに送信するシグナリング開始リクエスト送出手段１１と、
シグナリング終端ノードとして、中継ノードから取得した逆方向パス設定リクエストに基づいて、自ノードに関するリソースを確保するリソース確保手段１２と、を有し、
データ受信ノード３０は、
シグナリング開始リクエストに基づいて、シグナリング開始ノードとして、自ノードに関するリソースを確保すると共に、確保した該リソースに関するラベルを含む逆方向パス設定リクエストを、中継ノード２０に送出する逆方向パス設定リクエスト送出手段３１を有し、
中継ノード２０は、
逆方向パス設定リクエストに基づいて、自ノードに関するリソースを確保すると共に、階層の境界を認識する階層境界認識手段２１と、
シグナリング終端ノード側の隣接するノードに向けて、確保したリソースに関するラベルを含む逆方向パス設定リクエストを該隣接するノードに適応させて中継する中継手段２２と、を有する。
【０００９】
上記のように、本発明では、データ送信ノードからデータ受信ノードへ向けて、データ受信ノードからの（シグナリングの観点からの）逆方向パスのセットアップのシグナリングセッションの開始を要求する、シグナリング開始リクエストを送る。なおかつ、中継ノードは、階層の境界を認識し、パス設定リクエストを、隣接ノードへ向けて、当該隣接ノードの階層に適応させて転送する。これにより、データ送信ノードからのシグナリング開始のリクエストに基づいて、データ受信ノードから（シグナリングの観点からの）逆方向パスのセットアップを行うことで、複数の階層にわたるパスを、データ受信ノードからのパス設定リクエストの送達のみによって確立でき、パス設定を迅速に行うことが可能となる。
【００１０】
【発明の実施の形態】
以下、図面と共に本発明の実施の形態を説明する。
【００１１】
図３は、本発明の一実施の形態におけるシステム構成図である。
【００１２】
同図に示すシステムは、データ送信ノードＡ１０、データ受信ノードＥ３０及び、データ送信ノードＡ１０とデータ受信ノード３０との間の経路上の複数の中継ノードＢ２０，Ｃ２０，Ｄ２０から構成される。
【００１３】
データ送信ノードＡ１０は、シグナリング開始リクエスト送出部１１とリソース確保部１２を有する。
【００１４】
シグナリング開始リクエスト送出部１１は、データ受信ノードＥ３０をシグナリング開始ノードとし、自ノードをシグナリング終端ノードとする、逆方向パス設定リクエストを経路上の中継ノードに送出することを要求するシグナリング開始リクエストを、データ受信ノードＥ３０に送信する。
【００１５】
リソース確保部１２は、シグナリング終端ノードとして、逆方向パス設定リクエストに基づいて、自ノードに関するリソースを確保する。
【００１６】
データ受信ノードＥ３０は、逆方向パス設定リクエスト送出部３１を有する。
逆方向パス設定リクエスト３１は、シグナリング開始リクエストに基づいて、シグナリング開始ノードとして、自ノードに関するリソースを確保すると共に、確保したリソースに関するラベルを含む逆方向パス設定リクエストを中継ノードに送出する。
【００１７】
中継ノードＢ２０、Ｃ２０，Ｄ２０は、それぞれ階層境界認識部２１と中継部２２を有する。
【００１８】
階層境界認識部２１は、逆方向パス設定リクエストに基づいて、自ノードに関するリソースを確保すると共に、階層境界を認識する。
【００１９】
中継部２２は、シングナリング終端ノード側の隣接ノードに向けて確保したリソースに関するらべるを含む逆方向パス設定リクエストを、隣接ノードの階層に適用させて中継する。
【００２０】
次に、上記の構成における動作を説明する。
【００２１】
図４は、本発明の一実施の形態におけるパス設定方法を説明するための図である。
【００２２】
データ送信ノードＡ１０は、データ受信ノードＥ３０に向けて、当該ノードＥ３０をシグナリング開始ノードとする（シグナリングの観点から）逆方向パスリクエストを送出する旨の、シングナリング開始リクエストを送る。このシングナリング開始リクエストは、セットアップされるパスに沿った経路をホップ毎に転送される必要はなく、データ受信ノードＥ３０に直接送るなど、いかなる迅速な手段によって送られてもよい。
【００２３】
データ受信ノードＥ３０は、シグナリング開始リクエストに基づいて、データ送信ノードＡ１０へ向けて逆方向パス設定リクエスト（電気）を送る。逆方向パス設定リクエストは、経路上の中継ノード２０を、（シグナリングから見て）逆方向にパスを張りながら順次転送される。
【００２４】
中継ノードＤ２０は、中継ノードＢ〜Ｄ間に既存の光パスがないことを認識し、逆方向パス設定リクエスト（光）を中継ノードＣ２０に送る。
【００２５】
中継ノードＢ２０に逆方向パス設定リクエスト（光）が到達した時点で、中継ノードＢ〜Ｄ間の逆方向パスが確立する。
【００２６】
中継ノードＢ２０は、逆方向パス設定リクエスト（電気）を、データ送信ノードＡ１０に送り、逆方向パス設定リクエスト（電気）がデータ送信ノードＡ１０に到達した時点で、逆方向パス（電気）が確立する。シグナリング開始リクエストで逆方向パスの設定をリクエストすることにより、複数の階層それぞれでのメッセージの往復が不要になり、パスが迅速に確立される。
【００２７】
なお、本発明は、上記の実施の形態に限定されることなく、特許請求の範囲内において、種々変更・応用が可能である。
【００２８】
【発明の効果】
上述のように、本発明のネットワークのパスノ設定方法によれば、複数の階層にわたるパスの設定要求を、逆方向パスセットアップに置き換えることにより、各階層でのメッセージの往復をなくし、階層的なパスを迅速に確立することができる。
【図面の簡単な説明】
【図１】本発明の原理を説明するための図である。
【図２】本発明の原理構成図である。
【図３】本発明の一実施の形態におけるシステム構成図である。
【図４】本発明の一実施の形態における設定方法を説明するための図である。
【図５】従来の技術におけるネットワークパスの設定方法について説明するための図である。
【符号の説明】
１０　データ送信ノード
１１　シグナリング開始リクエスト送出手段、シグナリング開始リクエスト送出部
１２　リソース確保手段、リソース確保部
２０　中継ノード
２１　階層境界認識手段、階層境界認識部
２２　中継手段、中継部
３０　データ受信ノード
３１　逆方向パス設定リクエスト送出手段、逆方向パス設定リクエスト送出部
【図１】
2004023275.tif 000003
【図２】
2004023275.tif 000004
【図３】
2004023275.tif 000005
【図４】
2004023275.tif 000006
【図５】
2004023275.tif 000007